(57)【要約】【課題】通信システムにおける移動端末機情報を用いるシステム及び方法を提供する。【解決手段】移動端末機と、移動端末機に関する上記移動端末機情報を格納する移動端末機情報サーバと、移動端末機から移動端末機情報に基づくコンテンツサービスの要求を受信した場合には、移動端末機情報サーバから移動端末機情報を受信し、移動端末機情報を用いる移動端末機情報に基づくコンテンツサービスを移動端末機に提供するコンテンツサーバと、移動端末機情報に基づくコンテンツサービスの要求をコンテンツサーバへ送信し、コンテンツサーバから移動端末機情報の要求を受信した場合には、移動端末機情報サーバから上記移動端末機情報を受信して、移動端末機情報をコンテンツサーバへ送信する汎用サービスインターフェースサーバとを含む。【選択図】図４
2008092575.tif 000002
【特許請求の範囲】
【請求項１】
通信システムにおける移動端末機情報を用いるシステムであって、
移動端末機と、
前記移動端末機に関する前記移動端末機情報を格納する移動端末機情報サーバと、
前記移動端末機から移動端末機情報に基づくコンテンツサービスの要求を受信した場合には、前記移動端末機情報サーバから前記移動端末機情報を受信し、前記移動端末機情報を用いる前記移動端末機情報に基づくコンテンツサービスを前記移動端末機に提供するコンテンツサーバと、
前記移動端末機情報に基づくコンテンツサービスの要求を前記コンテンツサーバへ送信し、前記コンテンツサーバから前記移動端末機情報の要求を受信した場合には、前記移動端末機情報サーバから前記移動端末機情報を受信して、前記移動端末機情報を前記コンテンツサーバへ送信する汎用サービスインターフェースサーバと
を含むことを特徴とするシステム。
【請求項２】
前記移動端末機情報は、前記移動端末機の特性に関する情報であることを特徴とする請求項１記載のシステム。
【請求項３】
前記移動端末機情報は、前記移動端末機に関するコーデック情報、解像度情報、タイプ情報、ディスプレー装置情報、及び、メモリ情報のうちの少なくとも一つを含むことを特徴とする請求項１記載のシステム。
【請求項４】
前記汎用サービスインターフェースサーバが前記移動端末機情報を前記コンテンツサーバに提供した場合には、前記汎用サービスインターフェースサーバからの要求に応じて、前記移動端末機に関する課金情報を格納する課金サーバをさらに含むことを特徴とする請求項１記載のシステム。
【請求項５】
前記コンテンツサーバは、第１の移動端末機情報要求メッセージを前記汎用サービスインターフェースサーバへ送信し、前記汎用サービスインターフェースサーバから前記第１の移動端末機情報要求メッセージに応じた第１の移動端末機情報応答メッセージを受信することを特徴とする請求項１記載のシステム。
【請求項６】
前記第１の移動端末機情報要求メッセージ及び前記第１の移動端末機情報応答メッセージは、ハイパーテキスト転送プロトコル（ＨＴＴＰ）メッセージ及び拡張可能マークアップ言語（ＸＭＬ）メッセージのうちの少なくとも一つであることを特徴とする請求項５記載のシステム。
【請求項７】
前記汎用サービスインターフェースサーバは、前記第１の移動端末機情報要求メッセージに対応する第２の移動端末機情報要求メッセージを前記移動端末機サーバへ送信し、前記移動端末機サーバから前記第２の移動端末機情報要求メッセージに応じた第２の移動端末機情報応答メッセージを受信することにより、前記移動端末機情報を取得することを特徴とする請求項５記載のシステム。
【請求項８】
通信システムにおける移動端末機情報を用いるシステムであって、
コンテンツサーバから移動端末機に関する移動端末機情報を受信した場合には、前記移動端末機情報を格納する移動端末機サーバから前記移動端末機情報を取得し、前記移動端末機情報を前記コンテンツサーバへ送信する汎用サービスインターフェースサーバを含むことを特徴とするシステム。
【請求項９】
前記移動端末機情報は、前記移動端末機の特性に関する情報であることを特徴とする請求項８記載のシステム。
【請求項１０】
前記移動端末機情報は、前記移動端末機に関するコーデック情報、解像度情報、タイプ情報、ディスプレー装置情報、及び、メモリ情報のうちの少なくとも一つを含むことを特徴とする請求項９記載のシステム。
【請求項１１】
前記汎用サービスインターフェースサーバは、前記移動端末機情報を前記コンテンツサーバへ送信し、課金情報を管理する課金サーバに前記移動端末機情報の送信に関連した課金情報をアップデートすることを特徴とする請求項８記載のシステム。
【請求項１２】
前記コンテンツサーバは、前記移動端末機情報を用いたコンテンツサービスを提供しなければならない場合には、前記移動端末機情報を前記汎用サービスインターフェースサーバに要求し、前記汎用サービスインターフェースサーバから前記移動端末機情報要請に対応した移動端末機情報を受信した後に、移動端末機に前記移動端末機情報を用いたコンテンツサービスを提供することを特徴とする請求項８記載のシステム。
【請求項１３】
前記コンテンツサーバは、前記汎用サービスインターフェースサーバを通じて前記移動端末機情報が格納された移動端末機情報サーバの移動端末機情報を取得することを特徴とする請求項１２記載のシステム。
【請求項１４】
前記移動端末機は、前記移動端末機情報を用いたコンテンツサービスの提供を前記コンテンツサーバへ要求し、前記コンテンツサーバから前記移動端末機情報を用いたコンテンツサービスの提供を受けることを特徴とする請求項１２記載のシステム。
【請求項１５】
通信システムにおける移動端末機情報を用いる方法であって、
移動端末機が、移動端末機情報に基づくコンテンツサービスを要求するコンテンツサービス要求メッセージをコンテンツサーバへ送信するステップと、
前記コンテンツサーバが、前記移動端末機に関する移動端末機情報を汎用サービスインターフェースサーバに要求するステップと、
前記汎用サービスインターフェースサーバが、前記移動端末機情報を格納する移動端末機サーバから前記移動端末機情報を取得するステップと、
前記汎用サービスインターフェースサーバが、前記移動端末機情報を前記コンテンツサーバへ送信するステップと、
前記コンテンツサーバが、前記移動端末機情報を使用して前記移動端末機情報に基づくコンテンツサービスを前記移動端末機に提供するステップと
を含むことを特徴とする方法。
【請求項１６】
前記移動端末機情報は、前記移動端末機の特性に関する情報であることを特徴とする請求項１５記載の方法。
【請求項１７】
前記移動端末機情報は、前記移動端末機に関するコーデック情報、解像度情報、タイプ情報、ディスプレー装置情報、及び、メモリ情報のうちの少なくとも一つを含むことを特徴とする請求項１６記載の方法。
【請求項１８】
前記汎用サービスインターフェースサーバが前記移動端末機情報を前記コンテンツサーバに提供した場合には、前記汎用サービスインターフェースサーバは、前記移動端末機に関する課金情報を課金サーバに格納するステップをさらに含むことを特徴とする請求項１５記載の方法。
【発明の詳細な説明】
【技術分野】
【０００１】
本発明は、通信システムに関し、特に、通信システムにおける移動端末機情報を用いるシステム及び方法に関する。
【背景技術】
【０００２】
第４世代（4th Generation；以下、“４Ｇ”と称する）通信システムと呼ばれる次世代通信システムにおいては、多様なサービス品質（Quality of Service；以下、“ＱｏＳ”と称する）を有するサービスをユーザに提供するための活発な研究が進んでいる。特に、４Ｇ通信システムでは、無線近距離通信ネットワーク（Local Area Network；以下、“ＬＡＮ”と称する）システム及び都市規模通信網（Metropolitan Area Network；以下、“ＭＡＮ”と称する）システムのような広帯域無線接続（Broadband Wireless Access；以下、“ＢＷＡ”と称する）通信システムに、移動性（Mobility）及びＱｏＳを保証する形態で高速のサービスを支援するための研究が活発になされている。
【０００３】
通信システムの進化につれて、通信システムは、インターネットを介して移動端末機（Mobile Station；以下、“ＭＳ”と称する）にコンテンツの多様性を提供することが可能となった。図１を参照して、ＭＳにコンテンツサービスを提供するための通信システムについて説明する。
【０００４】
図１は、従来のコンテンツサービスを提供する通信システムを示す。
【０００５】
図１を参照すると、ＭＳ１１０は、通信ネットワーク１３０を介してコンテンツサーバ１７０にコンテンツサービスを要求する。
【０００６】
通信ネットワーク１３０は、ＭＳ１１０のコンテンツサービス要求をインターネット１５０を介してコンテンツサーバ１７０へ送信する。コンテンツサーバ１７０は、上記要求されたコンテンツサービスをインターネット１５０及び通信ネットワーク１３０を介してＭＳ１１０に提供する。
【０００７】
上記要求されたコンテンツサービスがインターネットプロトコルテレビジョン（Internet Protocol Television；以下、“ＩＰＴＶ”と称する）サービスと仮定すれば、ＭＳ１１０にＩＰＴＶサービスを提供するので、コンテンツサーバ１７０は、ＩＰＴＶサーバとなることができる。
【０００８】
図２を参照して、上記コンテンツサービスを提供する通信システムの構成について説明する。
【０００９】
図２は、従来のコンテンツサービスを提供する通信システムの構成を示す図である。
【００１０】
図２を参照すると、上記通信システムは、ＭＳ１１０と、通信ネットワーク１３０と、インターネット１５０と、コンテンツサーバ１７０とを含む。
【００１１】
ＭＳ１１０は、通信ネットワーク１３０を介してサービスを受信し、上記受信されたサービスをＭＳ１１０のユーザに提供する。
【００１２】
通信ネットワーク１３０は、例えば、ネットワークオペレータによって動作され、無線基地局（Radio Access Station；以下、“ＲＡＳ”と称する）１３１と、アクセスサービスネットワークゲートウェイ（Access Service Network GateWay；以下、“ＡＳＮ ＧＷ”と称する）１３３と、接続サービスネットワーク（connectivity Service Network；以下、“ＣＳＮ”と称する）１３５とを含む。
【００１３】
ＲＡＳ１３１は、所定のサイズのサービス領域、例えば、セル（cell）を含み、上記セル内のＭＳ１１０に通信サービスを提供する。ＲＡＳ１３１は、ＭＳ１１０へのエアー（air）上の物理（Physical）層の接続を担当する。また、基地局（Base Station；ＢＳ）は、ＲＡＳ１３１の代わりに使用されてもよい。
【００１４】
ＲＡＳ１３１に接続されるＡＳＮ ＧＷ１３３は、ハンドオフ及び電力制御を遂行し、メディアアクセス制御（Medium Access Control；以下、“ＭＡＣ”と称する）層の接続を担当する。基地局制御器（Base Station Controller；以下、“ＢＳＣ”と称する）またはサービングＧＰＲＳサポートノード（Serving GPRS（General Packet Radio Service）Support Node；以下、“ＳＧＳＮ”と称する）は、ＡＳＮ ＧＷ１３３の代わりに使用されてもよい。
【００１５】
ＡＳＮ ＧＷ１３３に接続されるＣＳＮ１３５は、複数のＲＡＳ１３１を制御する。ＣＳＮ１３５は、インターネット１５０に接続され、高速のデータ通信サービスを提供し、ＡＳＮ ＧＷ１３３をインターネット１５０とインターフェースする。ＣＳＮ１３５の代わりに、パケットデータサービングノード（Packet Data Serving Node；以下、“ＰＤＳＮ”と称する）、ゲートウェイＧＰＲＳサポートノード（Gateway GPRS Support Node；以下、“ＧＧＳＮ”と称する）が使用されてもよい。
【００１６】
インターネット１５０は、コンテンツサーバ１７０を通信ネットワーク１３０に接続し、コンテンツサーバ１７０から受信されたコンテンツサービスを通信ネットワーク１３０を介してＭＳ１１０に提供する。
【００１７】
コンテンツサーバ１７０は、コンテンツプロバイダー又はインターネットサービスプロバイダーによって動作される。コンテンツサーバ１７０は、例えば、ＩＰＴＶサーバ１７１、音楽／ビデオストリーミングサーバ１７３、検索サーバ１７５、広告サーバ１７７、及び他のサービスサーバ１７９を含む。
【００１８】
一方、上記通信システムからＭＳでのサービスを受信するための技術は、絶え間なく発展している。携帯性だけでなく、多機能化及び多様化への傾向に沿って、ＭＳ１１０は、音声を超えて、データ及び映像の実時間サービスを提供するように発展してきた。さらに、通信ネットワーク１３０は、既存の有線ネットワークから受信されたコンテンツサービスをインターネットを介してＭＳ１１０に提供することもできる。ＭＳ１１０は、携帯電話、個人用携帯情報端末（Personal Digital Assistants；以下、“ＰＤＡ”と称する）、ノートブック型携帯コンピュータ（note-book Personal Computer；以下、“ノートＰＣ”と称する）、パーソナルマルチメディアプレーヤー（Personal Multimedia Player；以下、“ＰＭＰ”と称する）、ハンドヘルドフォン（Hand Held Phone；以下、“ＨＨＰ”と称する）、スマートフォン、デジタル通信装置、または、デジタルカメラを含む。ＭＳ１１０は、通信機能を有する多様な種類の端末機の他にも、ＭＳ１１０は、増加されたユーザ要求及び加速化された技術発展によるいかなる新たなＭＳとなることもできる。
【００１９】
上記通信システムがＩＰＴＶサービスをＭＳ１１０に提供すると仮定すれば、ＭＳ１００は、コンテンツサーバ、例えば、ＩＰＴＶサーバ１７１にＭＳ情報に基づくＩＰＴＶサービスを要求する。しかしながら、ＩＰＴＶサーバ１７１は、通信ネットワーク１３０からＭＳ１１０に関するＭＳ情報を取得することができない。
【００２０】
例えば、ＩＰＴＶサービスを受信するＭＳが６４０ｘ４８０の解像度を有するノートＰＣであり、ユーザがノードＰＣの代わりに、２４０ｘ３２０の解像度を有するＰＤＡを介してＩＰＴＶサービスの受信を希望する場合には、ユーザは、ＰＤＡを直接操作してＰＤＡの解像度を満足するように、ノートＰＣの解像度に対して設定されたフォーマットをカスタマイズしなければならない。
【００２１】
結果的に、ＭＳは、ＭＳの特性に基づくコンテンツサービスを受信することができない。 
【００２２】
また、上記コンテンツサーバは、各ＭＳから受信されたコンテンツサービス要求に応じるＭＳ情報に基づく情報を全く保有していない。従って、上記コンテンツサーバは、ＭＳ情報に基づくコンテンツサービスをＭＳへ提供することができないという問題点があった。
【特許文献１】韓国特許公開第２０００−００５８８５８号明細書
【発明の開示】
【発明が解決しようとする課題】
【００２３】
上記背景に鑑みて、本発明の目的は、通信システムにおけるＭＳ情報を用いるシステム及び方法を提供することにある。
【００２４】
本発明の他の目的は、通信システムにおけるＭＳ情報に基づくサービスをＭＳに提供するように、ＭＳ情報を用いるシステム及び方法を提供することにある。
【００２５】
本発明のさらなる目的は、通信システムにおけるコンテンツサーバでＭＳの特性に基づくサービスを各ＭＳに提供するように、ＭＳ情報を用いるシステム及び方法を提供することにある。
【課題を解決するための手段】
【００２６】
上記のような目的を達成するために、本発明の第１の特徴によれば、通信システムにおける移動端末機情報を用いるシステムであって、移動端末機と、上記移動端末機に関する上記移動端末機情報を格納する移動端末機情報サーバと、上記移動端末機から移動端末機情報に基づくコンテンツサービスの要求を受信した場合には、上記移動端末機情報サーバから上記移動端末機情報を受信し、上記移動端末機情報を用いる上記移動端末機情報に基づくコンテンツサービスを上記移動端末機に提供するコンテンツサーバと、上記移動端末機情報に基づくコンテンツサービスの要求を上記コンテンツサーバへ送信し、上記コンテンツサーバから上記移動端末機情報の要求を受信した場合には、上記移動端末機情報サーバから上記移動端末機情報を受信して、上記移動端末機情報を上記コンテンツサーバへ送信する汎用サービスインターフェースサーバとを含むことを特徴とする。
【００２７】
本発明の第２の特徴によれば、通信システムにおける移動端末機情報を用いるシステムであって、コンテンツサーバから移動端末機に関する移動端末機情報を受信した場合には、上記移動端末機情報を格納する移動端末機サーバから上記移動端末機情報を取得し、上記移動端末機情報を上記コンテンツサーバへ送信する汎用サービスインターフェースサーバを含むことを特徴とする。
【００２８】
本発明の第３の特徴によれば、通信システムにおける移動端末機情報を用いる方法であって、移動端末機が、移動端末機情報に基づくコンテンツサービスを要求するコンテンツサービス要求メッセージをコンテンツサーバへ送信するステップと、上記コンテンツサーバが、上記移動端末機に関する移動端末機情報を汎用サービスインターフェースサーバに要求するステップと、上記汎用サービスインターフェースサーバが、上記移動端末機情報を格納する移動端末機サーバから上記移動端末機情報を取得するステップと、上記汎用サービスインターフェースサーバが、上記移動端末機情報を上記コンテンツサーバへ送信するステップと、上記コンテンツサーバが、上記移動端末機情報を使用して上記移動端末機情報に基づくコンテンツサービスを上記移動端末機に提供するステップとを含むことを特徴とする。
【発明の効果】
【００２９】
本発明は、通信システムにおいてＵＳＩサーバを提案し、ＵＳＩサーバは、コンテンツサーバがＭＳ情報に基づくコンテンツサービスをＭＳに提供するように、コンテンツプロバイダーが運営するコンテンツサーバにＭＳ情報を提供することができる。従って、コンテンツサービスを提供するにあたって、ＭＳ情報を積極的に使用することができるという長所を有する。
【発明を実施するための最良の形態】
【００３０】
以下、本発明の好適な一実施形態を、添付図面を参照しつつ詳細に説明する。下記の説明において、本発明の要旨のみを明瞭にする目的で、関連した公知の機能又は構成に関する具体的な説明は省略する。
【００３１】
本発明の実施形態は、通信システムにおける移動端末機（ＭＳ）情報を用いるシステム及び方法を提案する。本実施形態に従って、ＭＳ（又は装置）情報サーバは、各ＭＳに関するＭＳ情報を格納し、上記ＭＳ情報をコンテンツサーバに提供する。ＭＳがコンテンツサービスを上記コンテンツサーバに要求すると、上記コンテンツサーバは、ＭＳに関するＭＳ情報に基づいて上記コンテンツサービスをＭＳに提供する。
【００３２】
一方、ＭＳは、携帯電話、個人用携帯情報端末（ＰＤＡ）、ノートブック型携帯コンピュータ（ノートＰＣ）、超小型モバイルパーソナルコンピュータ（Ultra Mobile Personal Computer；以下、“ＵＭＰＣ”と称する）、パーソナルマルチメディアプレーヤー（ＰＭＰ）、ハンドヘルドフォン（ＨＨＰ）、スマートフォン、デジタル通信装置、及びデジタルカメラを含む。“ＭＳ”という用語は、通信機能を有する多様な装置を総称するものである。 
【００３３】
図３は、本発明の実施形態によるコンテンツサービスを提供する通信システムを概略的に示す図である。
【００３４】
図３を参照すると、ＭＳ３１０は、ＭＳ情報に基づくコンテンツサービスを通信ネットワーク３３０を介してコンテンツサーバ３７０に要求する。ここで、ＭＳ情報は、ＭＳ３１０の特性に関する情報、例えば、オペレーティングシステム、コーダデコーダ（Coder-Decoder；以下、“ＣＯＤＥＣ”と称する）、解像度、タイプ、ディスプレー装置、及びメモリなどに関する情報を含む。上記タイプ情報は、ＰＤＡ、ノートＰＣ、及びＵＭＰＣなどを識別する。
【００３５】
通信ネットワーク３３０は、ＭＳ３１０のコンテンツサービス要求をインターネット３５０を介してコンテンツサーバ３７０へ送信する。コンテンツサーバ３７０は、上記要求されたコンテンツサービスをインターネット３５０及び通信ネットワーク３３０を介してＭＳ３１０に提供する。
【００３６】
また、通信ネットワーク３３０は、ＭＳ情報サーバ３４１から受信されたＭＳ３１０に関するＭＳ情報をコンテンツサーバ３７０に提供する。
【００３７】
上記要求されたコンテンツサービスがインターネットプロトコルテレビジョン（ＩＰＴＶ）サービスと仮定すれば、コンテンツサーバ３７０は、上記ＭＳ情報を通信ネットワーク３３０に要求して受信する。その後、コンテンツサーバ３７０は、上記ＭＳ情報に基づくコンテンツサービスを最適化し、上記最適化されたコンテンツサービスをＭＳ３１０に提供する。従って、ＭＳ３１０は、ＭＳ情報に基づくコンテンツサービスをコンテンツサーバ３７０から受信することができる。
【００３８】
このとき、コンテンツサーバ３７０が上記要求されたコンテンツサービス、すなわち、ＩＰＴＶサービスをＭＳ３１０に提供するので、コンテンツサーバ３７０は、例えば、ＩＰＴＶサーバとなることができる。図４を参照して、上記コンテンツサービスを各ＭＳに提供する通信システムの構成について詳細に説明する。
【００３９】
図４は、本発明の実施形態によるコンテンツサービスを提供する通信システムの構成を概略的に示す図である。
【００４０】
図４を参照すると、本実施形態の通信システムは、ＭＳ３１０と、通信ネットワーク３３０と、インターネット３５０と、コンテンツサーバ３７０とを含む。
【００４１】
ＭＳ３１０は、通信ネットワーク３３０を介してサービスを受信し、上記受信されたサービスをＭＳ３１０のユーザに提供する。ＭＳ３１０は、通信ネットワーク３３０を介してコンテンツサーバ３７０にコンテンツサービスを要求することができる。また、ＭＳ３１０は、ＭＳ情報に基づくコンテンツサービスを要求することもできる。この場合、コンテンツサーバ３７０は、ＭＳ３１０に関するＭＳ情報に基づくコンテンツサービスを生成し、上記生成されたコンテンツサービスをＭＳ３１０に提供する。
【００４２】
通信ネットワーク３３０は、例えば、ネットワークオペレータが運用し、無線基地局（ＲＡＳ）３３１と、アクセスサービスネットワークゲートウェイ（ＡＳＮ ＧＷ）３３３と、接続サービスネットワーク（ＣＳＮ）３３５と、汎用サービスインタフェース（Universal Service Interface；以下、“ＵＳＩ”と称する）サーバ３３７とを含む。
【００４３】
ＲＡＳ３３１は、所定のサイズのサービス領域、例えば、セル（cell）を含み、上記セル内のＭＳ３１０に通信サービスを提供する。ＲＡＳ３３１は、ＭＳ３１０へのエアー（air）上の物理（Physical）層の接続を担当する。また、基地局（ＢＳ）は、ＲＡＳ３３１の代わりに使用されてもよい。
【００４４】
ＲＡＳ３３１に接続されるＡＳＮ ＧＷ３３３は、ハンドオフ及び電力制御を遂行し、メディアアクセス制御（ＭＡＣ）層の接続を担当する。基地局制御器（ＢＳＣ）またはサービングＧＰＲＳサポートノード（ＳＧＳＮ）は、ＡＳＮ ＧＷ１３３の代わりに使用されてもよい。
【００４５】
ＡＳＮ ＧＷ３３３に接続されるＣＳＮ３３５は、複数のＲＡＳ３３１を制御する。ＣＳＮ３３５は、ＵＳＩサーバ３３７を介してインターネット３５０に接続され、高速のデータ通信サービスを提供し、ＡＳＮ ＧＷ３３３をインターネット３５０とインターフェースする。ＣＳＮ３３５の代わりに、パケットデータサービングノード（ＰＤＳＮ）、ゲートウェイＧＰＲＳサポートノード（ＧＧＳＮ）が使用されてもよい。
【００４６】
通信ネットワーク３３０は、位置情報サーバ３３９と、ＭＳ情報サーバ３４１と、ユーザプロフィールサーバ３４３と、サービス品質（ＱｏＳ）サーバ３４５と、課金サーバ３４７とを含む。
【００４７】
インターネット３５０は、コンテンツサーバ３７０を通信ネットワーク３３０に接続し、コンテンツサーバ３７０から受信されたコンテンツサービスを通信ネットワーク３３０を介してＭＳ３１０に提供する。
【００４８】
ここで、位置情報サーバ３３９は、ＭＳに関する位置情報を管理する。ＭＳ情報サーバ３４１は、各ＭＳに関するＭＳ情報、例えば、オペレーティングシステム、ＣＯＤＥＣ、解像度、ＭＳタイプ、ディスプレー装置、及びメモリなどに関する情報を格納する。
【００４９】
ユーザプロフィールサーバ３４３は、通信ネットワーク３３０を介してユーザプロフィール、すなわち、通信サービスを受信するユーザに関する情報を格納する。ユーザプロフィールは、例えば、ユーザの名前、性別、アドレス、年齢、趣味などを含む。ＱｏＳサーバ３４５は、ＭＳに提供されるサービス別ＱｏＳレベルに関する情報を格納し、ＱｏＳレベルを決定する。課金サーバ３４７は、各ＭＳに関する料金情報を格納する。
【００５０】
ＵＳＩサーバ３３７は、位置情報サーバ３３９、ＭＳ情報サーバ３４１、ユーザプロフィールサーバ３４３、ＱｏＳサーバ３４５、課金サーバ３４７、及びＣＳＮ３３５と接続する。コンテンツサーバ３７０の要求に応じて、ＵＳＩサーバ３３７は、通信ネットワーク３３０のリソースに関する情報及びリソースをコンテンツサーバ３７０に提供する。また、ＵＳＩサーバ３３７は、インターネット３５０と通信ネットワーク３３０との間のインターフェースを担当する。
【００５１】
コンテンツサーバ３７０は、コンテンツサービスをインターネット３５０を介して通信ネットワーク３３０に提供する。
【００５２】
コンテンツサーバ３７０は、コンテンツプロバイダー又はインターネットサービスプロバイダーによって動作される。コンテンツサーバ３７０は、例えば、ＩＰＴＶサーバ３７１、音楽／ビデオストリーミングサーバ３７３、検索サーバ３７５、広告サーバ３７７、及び他のサービスサーバ３７９を含む。ＭＳ３１０からＭＳ情報に基づくコンテンツサービスに対する要求を受信すると、コンテンツサーバ３７０は、通信ネットワーク３３０のＵＳＩサーバ３３７を介してＭＳ３１０に関するＭＳ情報を受信して、ＭＳ情報に基づくコンテンツサービスをＭＳ３１０に提供する。
【００５３】
従って、コンテンツサーバ３７０がＵＳＩサーバ３３７を介して通信ネットワーク３３０の情報を活用することができるので、コンテンツサーバ３７０は、最適化されたコンテンツサービスを各ＭＳに提供することができる。次いで、図５を参照して、コンテンツサービス、例えば、ＩＰＴＶサービスを受信するＭＳのインターフェースについて説明する。
【００５４】
図５は、本発明の実施形態によるコンテンツサービスを受信するＭＳのインターフェースを概略的に示す図である。
【００５５】
図５を参照すると、ＭＳ５１０は、ＰＭＰ、ノートＰＣ、携帯電話、ＰＤＡ、ＵＭＰＣ、及びデジタルカメラのいずれかであってよい。ＭＳ５１０は、ＭＳ情報に基づくＩＰＴＶサービスを受信するか否かについて決定することができる。ＭＳ５１０は、ユーザから選択されるＭＳ５１０のインターフェースの装置認識オプション（図５中の「QoS Option」）を備える。ＭＳ５１０は、ユーザが上記装置認識オプションを選択するか否かに応じて、ユーザの選択に従って、正常のＩＰＴＶサービス又はＭＳ情報に基づくＩＰＴＶサービスを受信することができる。
【００５６】
ユーザが上記装置認識オプションを選択すると、すなわち、上記装置認識オプションが‘オン’となると、ＭＳ５１０は、ＭＳ５１０に関するＭＳ情報に基づくコンテンツサービスを受信する。また、ユーザが上記装置認識オプションを選択しないと、すなわち、上記装置認識オプションが‘オフ’となると、ＭＳ５１０は、通常のコンテンツサービスを受信する。
【００５７】
次いで、図６、図７、及び図８を参照して、通信システムにおけるＭＳ情報を使用する動作について説明する。
【００５８】
図６は、本発明の第１の実施形態による通信システムにおけるコンテンツサービスを提供する動作を概略的に示す信号フローチャートである。
【００５９】
図６を参照すると、本実施形態の通信システムは、ＭＳ３１０と、ＲＡＳ３３１と、ＡＳＮ ＧＷ３３３と、ＣＳＮ３３５と、ＵＳＩサーバ３３７と、課金サーバ３４７と、ＭＳ情報サーバ３４１と、ＩＰＴＶサーバ３７１とを含む。図６に示すように、ＭＳ３１０は、ＩＰＴＶサービスを受信することを希望し、ＩＰＴＶサーバ３７１は、ＩＰＴＶサービスを提供する。
【００６０】
ＭＳ３１０は、ステップ６１１で、ＲＡＳ３３１とのレンジング手順を遂行した後に、ステップ６１３で、ＡＳＮ ＧＷ３３３とのページング手順及び動的サービス追加（Dynamic Service Addition；ＤＳＡ）手順を遂行する。ステップ６１５で、ＭＳ３１１は、ＣＳＮ３３５とのＩＰ割当て手順を遂行する。
【００６１】
ＭＳ３１０は、ステップ６１７で、ＭＳ情報に基づくＩＰＴＶサービスを要求するＩＰＴＶ要求メッセージをＩＰＴＶサーバ３７１へ送信する。ＩＰＴＶ要求メッセージは、ＭＳ３１０に関するＩＰ情報とポート情報とを含む。
【００６２】
ステップ６１９で、ＩＰＴＶサーバ３７１は、ＭＳ３１０に関するＭＳ情報を要求するＭＳ情報要求メッセージをＵＳＩサーバ３３７へ送信する。
【００６３】
ステップ６２１で、ＵＳＩサーバ３３７は、ユーザＭＡＣ要求メッセージをＣＳＮ３３５へ送信し、ステップ６２３で、ＣＳＮ３３５は、ユーザＭＡＣ応答メッセージを用いてＵＳＩサーバ３３７へ送信する。
【００６４】
ＵＳＩサーバ３３７は、ユーザＭＡＣ応答メッセージからＭＳ３１０に関するＭＡＣ情報を取得する。その後、ステップ６２５で、ＭＳ３１０に関するＭＳ情報を取得するために、ＵＳＩサーバ３３７は、ＭＳ情報要求メッセージに対応するユーザ装置情報要求メッセージをＭＳ情報サーバ３４１へ送信する。
【００６５】
ＭＳ情報サーバ３４１は、ステップ６２７で、ユーザ装置情報要求メッセージに応じたユーザ装置情報応答メッセージをＵＳＩサーバ３３７へ送信する。上記ユーザ装置情報応答メッセージは、上記要求されたＭＳ情報、例えば、ＭＳ３１０のオペレーティングシステム、ＣＯＤＥＣ、解像度、ＭＳタイプ、ディスプレー装置、及びメモリなどに関する情報を含む。
【００６６】
ＵＳＩサーバ３３７は、ステップ６２９で、上記ＭＳ情報要求メッセージに応じたＭＳ情報応答メッセージをＩＰＴＶサーバ３７１へ送信する。ＵＳＩサーバ３３７は、ステップ６２１及びステップ６２３で、ＭＳ３１０に関するＭＡＣ情報を取得し、ステップ６２５及びステップ６２７で、ＭＳ３１０に関するＭＳ情報を取得する。ＵＳＩサーバ３３７は、上記ＭＳ情報応答メッセージを生成する際に、上記ＭＡＣ情報及び上記ＭＳ情報を使用する。
【００６７】
ＩＰＴＶサーバ３７１は、コンテンツサービス要求に応じたＭＳ情報を取得し、上記ＭＳ情報を用いてＭＳ情報に基づくコンテンツサービスのためのフォーマットを生成する。ＩＰＴＶサーバ３７１は、ステップ６３５で、ＩＰＴＶ要求メッセージに応じたＩＰＴＶ応答メッセージをＭＳ３１０へ送信する。ＩＰＴＶ応答メッセージは、上記コンテンツサーバ、すなわち、ＩＰＴＶサーバ３７１に関するＩＰ情報、ポート情報、及びプロトコル情報などを含む。
【００６８】
ステップ６３７で、ＩＰＴＶサーバ３７１は、コンテンツサービス、すなわち、ＩＰＴＶサービスを通信ネットワークを介してＭＳ３１０へ送信する。
【００６９】
ＵＳＩサーバ３３７は、ステップ６３１で、上記ＭＳ情報に基づくＩＰＴＶサービスの料金を計算するために、課金情報アップデートメッセージを課金サーバ３４７へ送信する。
【００７０】
ステップ６３３で、課金サーバ３４７は、ＭＳ３１０に関する課金情報をアップデートした後、アップデート確認メッセージをＵＳＩサーバ３３７へ送信する。
【００７１】
ステップ６３１及びステップ６３３で、上記課金情報アップデートのために、ＩＰＴＶサーバ３７１は、ＭＳ情報の提供によって課金情報アップデート要求メッセージをＵＳＩサーバ３３７へ送信する。
【００７２】
上記課金情報アップデート手順を遂行した後に、ＵＳＩサーバ３３７は、課金情報アップデート応答メッセージを用いてＩＰＴＶサーバ３７１へ送信する。ＩＰＴＶサーバ３７１とＵＳＩサーバ３３７との間の課金情報アップデート要求メッセージ及び課金情報アップデート応答メッセージを送受信することなく、ステップ６３１及びステップ６３３でのＩＭＳサーバ３３７及び課金サーバ３４７の動作だけでも、上記課金情報アップデートを十分に遂行することができる。
【００７３】
ステップ６３１及びステップ６３３は、上記課金情報をアップデートする過程の一例を示す。
【００７４】
セキュリティーを確保するために、ステップ６２５又はステップ６２７で、ＭＳ情報要求メッセージ又はＭＳ情報応答メッセージは、ハイパーテキスト転送プロトコル（Hyper Text Transfer Protocol；以下、“ＨＴＴＰ”と称する）によって送信されることができる。ＵＳＩサーバ３３７とＩＰＴＶサーバ３７１との間のメッセージ交換は、データベースマッピングのために、拡張可能マークアップ言語（eXtensible Markup Language；ＸＭＬ）を用いてなされることができる。
【００７５】
図７は、本発明の第２の実施形態による通信システムにおけるコンテンツサービスを提供する信号フローを示す図である。
【００７６】
図７を参照すると、通信システムは、ＭＳ３１０と、ＲＡＳ３３１と、ＡＳＮ ＧＷ３３３と、ＣＳＮ３３５と、ＵＳＩサーバ３３７と、課金サーバ３４７と、ＭＳ情報サーバ３４１と、音楽／ビデオストリーミングサーバ３７３とを含む。図７に示すように、ＭＳ３１０は、音楽／ビデオストリーミングサービスを受信することを希望し、上記コンテンツサービスを提供するコンテンツサーバは、音楽／ビデオストリーミングサーバ３７３である。
【００７７】
ＭＳ３１０は、ステップ７１１で、ＲＡＳ３３１とのレンジング手順を遂行した後、ステップ７１３で、ＡＳＮ ＧＷ３３３とのページング手順及びＤＳＡ手順を遂行する。ステップ７１５で、ＭＳ３１１は、ＣＳＮ３３５とのＩＰ割当て手順を遂行する。
【００７８】
ＭＳ３１０は、ステップ７１７で、ＭＳ情報に基づく音楽／ビデオストリーミングサービスを要求するストリーミング要求メッセージを音楽／ビデオストリーミングサーバ３７３へ送信する。上記ストリーミング要求メッセージは、ＭＳ３１０に関するＩＰ情報とポート情報とを含む。
【００７９】
ステップ７１９で、音楽／ビデオストリーミングサーバ３７３は、ＭＳ情報要求メッセージをＵＳＩサーバ３３７へ送信する。
【００８０】
ステップ７２１で、ＵＳＩサーバ３３７は、ユーザＭＡＣ要求メッセージをＣＳＮ３３５へ送信し、ステップ７２３で、ＣＳＮ３３５は、ユーザＭＡＣ応答メッセージを用いてＵＳＩサーバ３３７へ送信する。
【００８１】
ＵＳＩサーバ３３７は、ユーザＭＡＣ応答メッセージからＭＳ３１０に関するＭＡＣ情報を取得する。その後、ステップ７２５で、ＭＳ３１０に関するＭＳ情報を取得するために、ＵＳＩサーバ３３７は、ＭＳ情報要求メッセージに対応するユーザ装置情報要求メッセージをＭＳ情報サーバ３４１へ送信する。
【００８２】
ＭＳ情報サーバ３４１は、ステップ７２７で、ユーザ装置情報要求メッセージに応じたユーザ装置情報応答メッセージをＵＳＩサーバ３３７へ送信する。上記ユーザ装置情報応答メッセージは、上記要求されたＭＳ情報、例えば、ＭＳ３１０のオペレーティングシステム、ＣＯＤＥＣ、解像度、ＭＳタイプ、ディスプレー装置、及びメモリなどに関する情報を含む。
【００８３】
ＵＳＩサーバ３３７は、ステップ７２９で、上記ＭＳ情報要求メッセージに応じたＭＳ情報応答メッセージを音楽／ビデオストリーミングサーバ３７３へ送信する。ＵＳＩサーバ３３７は、ステップ７２１及びステップ７２３で、ＭＳ３１０に関するＭＡＣ情報を取得し、ステップ７２５及びステップ７２７で、ＭＳ３１０に関するＭＳ情報を取得する。ＵＳＩサーバ３３７は、上記ＭＳ情報応答メッセージを生成する際に、上記ＭＡＣ情報及び上記ＭＳ情報を使用する。
【００８４】
音楽／ビデオストリーミングサーバ３７３は、コンテンツサービス要求に応じたＭＳ情報を取得し、上記ＭＳ情報を用いてＭＳ情報に基づくコンテンツサービスのためのフォーマットを生成する。音楽／ビデオストリーミングサーバ３７３は、ステップ７３５で、上記ストリーミング要求メッセージに応じたストリーミング応答メッセージをＭＳ３１０へ送信する。上記ストリーミング応答メッセージは、上記コンテンツサーバ、すなわち、音楽／ビデオストリーミングサーバ３７３に関するＩＰ情報、ポート情報、及びプロトコル情報などを含む。
【００８５】
ステップ７３７で、音楽／ビデオストリーミングサーバ３７３は、コンテンツサービス、すなわち、上記音楽／ビデオストリーミングサービスを通信ネットワークを介してＭＳ３１０へ送信する。
【００８６】
ＵＳＩサーバ３３７は、ステップ７３１で、上記ＭＳ情報に基づく音楽／ビデオストリーミングサービスの料金を計算するために、課金情報アップデートメッセージを課金サーバ３４７へ送信する。
【００８７】
ステップ７３３で、課金サーバ３４７は、ＭＳ３１０に関する課金情報をアップデートした後、アップデートＡＣＫメッセージをＵＳＩサーバ３３７へ送信する。
【００８８】
ステップ７３１及びステップ７３３で、上記課金情報アップデートのために、音楽／ビデオストリーミングサーバ３７３は、課金情報アップデート要求メッセージをＵＳＩサーバ３３７へ送信する。
【００８９】
上記課金情報アップデート手順を遂行した後、ＵＳＩサーバ３３７は、課金情報アップデート応答メッセージを用いて音楽／ビデオストリーミングサーバ３７３へ送信する。音楽／ビデオストリーミングサーバ３７３とＵＳＩサーバ３３７との間の課金情報アップデート要求メッセージ及び課金情報アップデート応答メッセージを送受信することなく、ステップ７３１及びステップ７３３でのＵＳＩサーバ３３７及び課金サーバ３４７の動作だけでも、上記課金情報アップデートを十分に遂行することができる。
【００９０】
ステップ７３１及びステップ７３３は、上記課金情報をアップデートする過程の一例を示す。
【００９１】
セキュリティーを確保するために、ステップ７２５又はステップ７２７で、ＭＳ情報要求メッセージ又はＭＳ情報応答メッセージは、ＨＴＴＰによって送信されることができる。ＵＳＩサーバ３３７と音楽／ビデオストリーミングサーバ３７３との間のメッセージ交換は、データベースマッピングのために、ＸＭＬを用いてなされることができる。
【００９２】
図８は、本発明の第３の実施形態による通信システムにおけるコンテンツサービスを提供する信号フローを示す図である。
【００９３】
図８を参照すると、上記通信システムは、ＭＳ３１０と、ＲＡＳ３３１と、ＡＳＮ ＧＷ３３３と、ＣＳＮ３３５と、ＵＳＩサーバ３３７と、課金サーバ３４７と、ＭＳ情報サーバ３４１と、広告サーバ３７７とを含む。図８に示すように、広告サーバ３７７は、プッシュ（ＰＵＳＨ）広告サービスをＭＳ３１０に提供する。 
【００９４】
ＭＳ３１０に関するＭＳ情報に基づいて広告サービスをＭＳ３１０に提供するために、ステップ８１１で、広告サーバ３７７は、ＭＳ情報要求メッセージをＵＳＩサーバ３３７へ送信する。上記ＭＳ情報要求メッセージは、ＭＳ３１０に関するＩＰ情報及びポート情報を含む。また、上記ＭＳ情報要求メッセージは、ページング手順が遂行されるか否かを示す情報を含むこともある。上記ページング手順が遂行されることを示す情報を含む場合には、ＵＳＩサーバ３３７は、ＭＳ３１０とのページング手順を遂行することができる。
【００９５】
ＵＳＩサーバ３３７は、ステップ８１３で、上記ＭＳ情報を取得するために、ユーザ装置情報要求メッセージをＭＳ情報サーバ３４１へ送信する。
【００９６】
ＭＳ情報サーバ３４１は、ステップ８１５で、ユーザ装置情報要求メッセージに応じたユーザ装置情報応答メッセージをＵＳＩサーバ３３７へ送信する。上記ユーザ装置情報応答メッセージは、上記要求されたＭＳ情報、例えば、ＭＳ３１０のオペレーティングシステム、ＣＯＤＥＣ、解像度、ＭＳタイプ、ディスプレー装置、及びメモリなどに関する情報を含む。
【００９７】
上記ＭＳ情報要求メッセージが、上記ページング手順が遂行されることを示す情報を含む場合には、ステップ８１７で、ＵＳＩサーバ３３７は、ユーザページング要求メッセージをＡＳＮ ＧＷ３３３へ送信する。
【００９８】
ステップ８１９で、ＡＳＮ ＧＷ３３３は、ページング要求メッセージをＲＡＳ３３１へ送信する。ステップ８２１で、ＲＡＳ３３１は、ページングメッセージをＭＳ３１０へ送信する。ステップ８２３で、ＭＳ３１０は、応答メッセージを用いてＲＡＳ３３１へ送信する。ステップ８２５で、ＲＡＳ３３１は、上記ページング要求メッセージに応じたページング応答メッセージをＡＳＮ ＧＷ３３３へ送信する。
【００９９】
ステップ８２７で、ＡＳＮ ＧＷ３３３は、上記ユーザページング要求メッセージに応じたユーザページング応答メッセージをＵＳＩサーバ３３７へ送信する。
【０１００】
上述したように、ＵＳＩサーバ３３７は、ステップ８１７乃至ステップ８２７でページング手順を遂行することができる。広告サーバ３７７の要求がない場合には、上記ページング手順は、遂行されない。
【０１０１】
ＵＳＩサーバ３３７は、ステップ８２９で、上記ＭＳ情報要求メッセージに応じたＭＳ情報応答メッセージを広告サーバ３７７へ送信する。ＵＳＩサーバ３３７は、上記ＭＳ情報応答メッセージを生成する際に、ＭＳ３１０に関するＭＡＣ情報及びＭＳ情報を使用する。上記ＭＳ情報応答メッセージは、上記位置情報に基づいて、広告サーバ３７７が上記広告サービスをＭＳ３１０に提供することができるように、ＭＳに関する位値情報を含むことがある。ステップ８３１で、広告サーバ３７７は、コンテンツサービス、すなわち、広告サービスを通信システムを介してＭＳ３１０へ送信する。
【０１０２】
ステップ８３３で、広告サーバ３７７は、課金情報アップデート要求メッセージをＵＳＩサーバ３３７へ送信する。
【０１０３】
ステップ８３５で、ＵＳＩサーバ３３７は、上記ＭＳ情報の料金を計算するために、課金情報アップデートメッセージを課金サーバ３４７へ送信する
【０１０４】
ステップ８３７で、課金サーバ３４７は、上記ＭＳ情報に関連した課金情報をアップデートした後に、アップデートＡＣＫメッセージをＵＳＩサーバ３３７へ送信する。
【０１０５】
上記課金情報アップデート手順を遂行した後に、ＵＳＩサーバ３３７は、ステップ８３９で、課金情報アップデート応答メッセージを用いて広告サーバ３７７へ送信する。上記課金情報アップデート応答メッセージは、ステップ８３７及びステップ８３９を遂行した結果を含む。
【０１０６】
ステップ８３３及びステップ８３９を遂行することなく、ステップ８３７及びステップ８３９でのＵＳＩサーバ３３７の動作だけでも、上記課金情報アップデートを十分に遂行することができる。
【０１０７】
ステップ８３３乃至ステップ８３９は、上記課金情報をアップデートする過程の一例を示す。上記課金情報アップデート過程は、上記広告サービスの提供、すなわち、ステップ８３１の前に遂行されてもよい。
【０１０８】
セキュリティーを確保するために、ステップ８１１又はステップ８２９で、ＭＳ情報要求メッセージ又はＭＳ情報応答メッセージは、ＨＴＴＰによって送信されることができる。ＵＳＩサーバ３３７と広告サーバ３７７との間のメッセージ交換は、データベースマッピングのために、ＸＭＬを用いてなされることができる。
【０１０９】
本発明の実施形態では、上記ＩＭＳサーバが、位置情報サーバ、ＭＳ情報サーバ、ユーザプロフィールサーバ、ＱｏＳサーバ、及び課金サーバと接続する機能を遂行したが、これらサーバが上記ＩＭＳサーバの内部に組み込まれてもよい。また、ＩＭＳサーバは、ＡＳＮ ＧＷ又はＣＳＮの内部に組み込まれてもよい。結局、本発明の実施形態では、上記コンテンツサーバが上記ＩＭＳサーバを用いてＭＳ情報を活用することにより、ＭＳ情報に基づくコンテンツサービスを提供することができる。
【０１１０】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【０１１１】
【図１】従来のコンテンツサービスを提供する通信システムを概略的に示す図である。
【図２】従来のコンテンツサービスを提供するための通信システムの構成を概略的に示す図である。
【図３】本発明の実施形態によるコンテンツサービスを提供する通信システムを概略的に示す図である。
【図４】本発明の実施形態によるコンテンツサービスを提供する通信システムの構成を概略的に示す図である。
【図５】本発明の実施形態によるコンテンツサービスを受信するためのＭＳのインターフェースを概略的に示す図である。
【図６】本発明の第１の実施形態による通信システムにおけるコンテンツサービスを提供する信号フローを示す図である。
【図７】本発明の第２の実施形態による通信システムにおけるコンテンツサービスを提供する信号フローを示す図である。
【図８】本発明の第３の実施形態による通信システムにおけるコンテンツサービスを提供する信号フローを示す図である。
【符号の説明】
【０１１２】
３１０：ＭＳ
３３０：通信ネットワーク
３３１：無線基地局（ＲＡＳ）
３３３：アクセスサービスネットワークゲートウェイ（ＡＳＮ ＧＷ）
３３５：接続サービスネットワーク（ＣＳＮ）
３３７：汎用サービスインタフェース（ＵＳＩ）
３３９：位置情報サーバ
３４１：ＭＳ情報サーバ
３４３：ユーザプロフィールサーバ
３４５：サービス品質（ＱｏＳ）サーバ
３４７：課金サーバ
３５０：インターネット
３７０：コンテンツサーバ
３７１：ＩＰＴＶサーバ
３７３：音楽／ビデオストリーミングサーバ
３７５：検索サーバ
３７７：広告サーバ
３７９：他のサービスサーバ
【図１】
2008092575.tif 000003
【図２】
2008092575.tif 000004
【図３】
2008092575.tif 000005
【図４】
2008092575.tif 000006
【図５】
2008092575.tif 000007
【図６】
2008092575.tif 000008
【図７】
2008092575.tif 000009
【図８】
2008092575.tif 000010